(57)【要約】      （修正有）【課題】格納・取出し動作の対象如何に拘らずメディアについてはセキュリティ性を高めること、かつ正確なライセンス管理が可能とすること。【解決手段】ＩＣタグを所定の位置に貼付したメディアを格納しロック機構を備えたメディア格納ケースと、メディア・タグリーダと、データベースを備え、該メディア・タグリーダにより読み取られた情報と該メディアに係るデータベースに書き込まれている情報との照合に基づき前記ロック機構の係止／解除及び前記メディア格納スロットのメディア格納もしくは取り出しに係る動作を制御する管理部とを具備する。【選択図】図１
2006209893.tif 000002
【特許請求の範囲】
【請求項１】
メディア用ＩＣタグを所定の位置に貼付したメディアを格納しロック機構を備えたメディア格納スロットを複数備えたメディア格納ケースと、
前記メディア格納ケースに具備され前記メディア用ＩＣタグ内の情報を読み取るためのメディア・タグリーダと、
前記メディア・タグリーダに接続され、メディアに係るデータベースを備え、該メディア・タグリーダにより読み取られた情報と該メディアに係るデータベースに書き込まれている情報との照合に基づき前記ロック機構の係止／解除及び前記メディア格納スロットのメディア格納もしくは取り出しに係る動作を制御する管理部と
を具備することを特徴とするメディア管理システム。
【請求項２】
使用者認証のためのＩＣタグ内の情報を読み取るためのＩＣタグリーダをさらに備え、
前記管理部は前記使用者認証用ＩＣタグによる使用者の認証を行うことで動作することを特徴とする請求項１記載のメディア管理システム。
【請求項３】
前記メディアは、ＣＤ、ＤＶＤ、ＭＤ、ＦＤ、ＭＯ、ＬＤ、コンパクトフラッシュ（商標）、マイクロドライブ、スマートメディア、ＳＤメモリーカード、メモリースティック、ｘＤ−ピクチャーカード（xD-Picture Card）のうちの少なくとも１つであることを特徴とする請求項１もしくは２記載のメディア管理システム。
【請求項４】
前記メディアは該メディア単体を被うメディア収納ケースに収納され、前記メディア用ＩＣタグは該メディア収納ケースの所定位置に貼付され、前記メディア格納スロットは該メディア収納ケースごとメディアを格納することを特徴とする請求項１もしくは２記載のメディア管理システム。
【請求項５】
前記管理部は、メディア格納の際には、
前記メディア・タグリーダによって読み取られたメディア用ＩＣタグ内の情報とメディア・データベースとを照合する照合部と、
所望のメディア格納スロットのロック機構を解除してスロットを突出させ、該指定メディアの載置に対応して該スロットを退入させた後メディア格納スロットのロック機構を係止する制御部と、
前記照合部により正当なメディアと認証されたメディアについてのみ必要に応じて前記メディア・データベースに前記メディア用ＩＣタグ内情報を書き込むデータベース書き込み部と
を具備することを特徴とする請求項１もしくは２記載のメディア管理システム。
【請求項６】
前記管理部は、メディア取り出しの際には、
メディア格納ケースに収納される全メディアに係る情報をメディア・データベースから取得して表示する表示部と、
所望のメディアの指定を受け取る指定受取部と、
前記指定受取部により受け取られた指定メディアに対応するメディア格納スロットのロック機構を解除してスロットを突出させ、該指定メディアの取り出しに対応して該スロットを退入させた後メディア格納スロットのロック機構を係止する制御部と、
必要に応じてメディア貸出履歴データベースを更新するデータベース書き込み部と
を具備することを特徴とする請求項１もしくは２記載のメディア管理システム。
【請求項７】
請求項１記載のメディア管理システムにおいて使用されることを特徴とするメディア格納ケース。
【請求項８】
前記メディア格納ケースは複数積層させることが可能であることを特徴とする請求項７記載のメディア格納ケース。
【発明の詳細な説明】
【技術分野】
【０００１】
本発明は、たとえばＣＤ-ＲＯＭ等のメディア管理のシステム化に係り、特に、ＣＤ-ＲＯＭ等のメディアの盗難や不正な使用を防止するとともに、貸出し管理を自動化することで、人的作業負荷を減らすとともに、従来人による管理に依存していた部分が開放され、かつ正確なライセンス管理が可能となるメディア管理システム及びメディア格納ケースに関する。本発明は、銀行・証券等の顧客情報管理システムを初めとする各産業・各企業内の情報管理、物流倉庫等における物品管理、レンタル産業におけるレンタル品管理、宝飾品等の極小貴重物の盗難防止管理、図書館・博物館等における貸出し及び盗難防止管理等、産業・分野を問わず幅広く適用されるものである。
【背景技術】
【０００２】
企業内では様々な情報を含むＣＤ−ＲＯＭ等のコンパクトディスク（ＣＤ）やＤＶＤ（デジタル・バーサタイル・ディスク）を初めとする各種メディア（記録媒体）（以下、「ＣＤ等」もしくは「ＣＤ-ＲＯＭ等」という。）が多数扱われている。これらのＣＤ等の物理的な管理といった収納の問題もさることながら、情報の中には顧客情報など機密を要するものもあり、どのＣＤ等がいつ、誰に貸出し／返却されたのかなど、ＣＤ等の厳格・厳密な管理も求められている。一方、管理は人手によっているというのが現在の実情であり、人の手に頼ることでセキュリティが緩慢になる余地のあることが企業の日常活動に大きな負担と懸念とを与えている。
そうした中にあって、ＩＣチップを内臓するタグを利用してＣＤの貸出し業務及び返却業務作業を軽減するシステムが提案されている（たとえば特許文献１）。しかし、このシステムでは、収納場所から貸出し／返却をしたいＣＤを移動した後の貸出し業務及び返却業務のみが問題とされており、ＣＤ管理では収納は意図されていない。したがって、貸出し／返却の対象以外のものについてのセキュリティ性が保たれる考慮が一切なされていない。
また、ＲＦ-ＩＤ図書類分類ラベルが貼付された、書架に収納された図書類の所在や有無の管理システムが提案されている（たとえば特許文献２）が、図書類には万人がアクセス可能という前提でシステムが構築されており、情報へのアクセス制限を行うといったセキュリティの視点が全く考慮されていない。
【特許文献１】特開２０００―１９８５０５号公報
【特許文献２】特開平１０―３３４１９８号公報
【発明の開示】
【発明が解決しようとする課題】
【０００３】
本発明は上記の従来技術の問題を解決するためになされたもので、ＣＤ-ＲＯＭ等の盗難や不正な使用を防止することをまず第1の目的とする。そのために本願は、格納・取出し動作に関わらないメディアについてはセキュリティ性を高めるとともに、格納・取出し動作に関わるメディアについては詳細な履歴等の整備を通じてセキュリティ性を高めることを第２の目的とする。さらに本願は、貸出し管理を自動化することで、人的作業負荷を減らすとともに、従来人による管理に依存していた部分が開放され、かつ正確なライセンス管理が可能となるメディア管理システム及びメディア格納ケースを提供することを第3の目的とする。
【課題を解決するための手段】
【０００４】
かかる課題を解決するため、本発明は、メディア用ＩＣタグを所定の位置に貼付したメディアを格納しロック機構を備えたメディア格納スロットを複数備えたメディア格納ケースと、前記メディア格納ケースに具備され前記メディア用ＩＣタグ内の情報を読み取るためのメディア・タグリーダと、前記メディア・タグリーダに接続され、メディアに係るデータベースを備え、該メディア・タグリーダにより読み取られた情報と該メディアに係るデータベースに書き込まれている情報との照合に基づき前記ロック機構の係止／解除及び前記メディア格納スロットのメディア格納もしくは取り出しに係る動作を制御する管理部とを具備する。
【０００５】
かかる構成を備える本発明によれば、使用者認証用タグによる認証がなければ、ＣＤ格納スロットを制御する管理部が動作しないので、不正な使用者によるＣＤの持ち出しやすり替えを防止することができる。
【０００６】
また、本発明によれば、ＣＤ格納のとき、ＣＤに貼付されたＣＤ用ＩＣタグをＣＤ用ＩＣタグリーダによって自動的に読み取るので、ＩＣタグリーダにより読み取ることができない場合、ＣＤはＣＤ格納スロットへ格納できない。すなわち、登録された適正なＣＤのみを格納する機能が提供されるものである。
【０００７】
ＣＤ用ＩＣタグリーダにより読み取られた情報は、管理部により、たとえば画面上に反映される。
【０００８】
ＣＤ格納スロットからのＣＤ取り出しのときには、画面上で取り出すＣＤを指定することにより、ＣＤ格納スロットからの所望のＣＤ取り出しが可能になり、さらに、取り出すＣＤのＩＣタグが自動的にＣＤ用ＩＣタグリーダによって読み取られるので、「本当にＣＤを取り出した」ことをシステム的に把握することが可能となる。
【０００９】
ＣＤ格納・取り出しのとき、使用者情報及びＣＤ情報が管理部により管理されるため、誰が何を使用しているのか、何が格納されているのかといった現在の状況や、誰が何をいつ使用したのかといった使用履歴を、人による作業負荷をかけることなく管理することが可能となる。
【００１０】
本願においては、スロットが飛び出す・突出する形式をとる。したがって、メディアをスロット上に載置するだけで、情報読取・格納動作まで連続して行うことが可能である。
【００１１】
また、本発明は、このとき、使用者認証のためのＩＣタグ内の情報を読み取るためのＩＣタグリーダをさらに備え、前記管理部は前記使用者認証用ＩＣタグによる使用者の認証を行うことで動作するように構成しても良い。こうすることで、正当な認証を得ない者による本システムへのアクセスを制限することができ、セキュリティ性が一層向上する。
【００１２】
さらに、本発明において、メディアは、ＣＤ、ＤＶＤ、ＭＤ、ＦＤ、ＭＯ、ＬＤ、コンパクトフラッシュ（商標）、マイクロドライブ、スマートメディア、ＳＤメモリーカード、メモリースティック、ｘＤ−ピクチャーカード（xD-Picture Card）のうちの少なくとも１つであるように構成しても良い。これにより、各種産業において本システムを利用することが可能になり、利便性が増す。
【００１３】
また、本発明は、このとき、前記メディアは該メディア単体を被うメディア収納ケースに収納され、前記メディア用ＩＣタグは該メディア収納ケースの所定位置に貼付され、前記メディア格納スロットは該メディア収納ケースごとメディアを格納するように構成しても良い。このように構成することで、さらに利便性が高まる。また、スロットの規格が統一的であり、メディア収納ケースの所定位置にメディア用ＩＣタグが貼付されるので、該メディア収納ケースをスロットに載置するだけで、ＩＣタグリーダによる読取動作についての位置整合が保たれ、ＩＣタグリーダによる読取性能を向上させる。
【００１４】
さらに、本発明において、前記管理部は、メディア格納の際には、前記メディア・タグリーダによって読み取られたメディア用ＩＣタグ内の情報とメディア・データベースとを照合する照合部と、所望のメディア格納スロットのロック機構を解除してスロットを突出させ、該指定メディアの載置に対応して該スロットを退入させた後メディア格納スロットのロック機構を係止する制御部と、前記照合部により正当なメディアと認証されたメディアについてのみ必要に応じて前記メディア・データベースに前記メディア用ＩＣタグ内情報を書き込むデータベース書き込み部とを具備するように構成しても良い。
【００１５】
このように構成することで、スロットは１動作に１枚のみを対象とし、１枚のメディアを動かしている間はメディア格納ケースの他のメディアは収納（及びロック係止）された状態を保つので、当該他のメディアに係るセキュリティ性は向上する。この点で、たとえば、たとえば特許文献１等の従来技術では管理性能のみが向上されセキュリティ性の向上がなされていないのとは対照的である。
【００１６】
また、本発明において、前記管理部は、メディア取り出しの際には、メディア格納ケースに収納される全メディアに係る情報をメディア・データベースから取得して表示する表示部と、所望のメディアの指定を受け取る指定受取部と、前記指定受取部により受け取られた指定メディアに対応するメディア格納スロットのロック機構を解除してスロットを突出させ、該指定メディアの取り出しに対応して該スロットを退入させた後メディア格納スロットのロック機構を係止する制御部と、必要に応じてメディア貸出履歴データベースを更新するデータベース書き込み部とを具備するように構成しても良い。
【００１７】
このように構成することで、本願では、一つ一つのスロットが独立に形成され、それぞれの単位において管理の対象となるので、出し入れするときには対象は１つに限定され、その他については高いセキュリティ性を維持したまま収容保持される。この点で、たとえば特許文献１等の従来技術では物理的に複数のディスクの持ち出しが可能であるのとは対照的である。
【００１８】
さらに、本発明は、請求項１記載のメディア管理システムにおいて使用されることを特徴とするメディア格納ケースとして実現することもできる。
【００１９】
また、本発明は、このとき、前記メディア格納ケースは複数積層させることが可能であるように構成することもできる。
【発明の効果】
【００２０】
本発明によれば、使用者認証用タグによる認証がなければ、ＣＤ格納スロットを制御する管理部が動作しないので、不正な使用者によるＣＤの持ち出しやすり替えを防止することができる。
【００２１】
また、本発明によれば、ＣＤ格納の際、ＣＤに貼付されたＣＤ用ＩＣタグをＣＤ用ＩＣタグリーダによって自動的に読み取るので、ＩＣタグリーダにより読み取ることができない場合、ＣＤはＣＤ格納スロットへ格納できない。すなわち、登録された適正なＣＤのみを格納する機能が提供される。
【００２２】
ＣＤ用ＩＣタグリーダにより読み取られた情報は、管理部により、たとえば画面上に反映される。
【００２３】
ＣＤ格納スロットからのＣＤ取り出しの際には、画面上で取り出すＣＤを指定することにより、ＣＤ格納スロットからの所望のＣＤ取り出しが可能になり、さらに、取り出すＣＤのＩＣタグが自動的にＣＤ用ＩＣタグリーダによって読み取られるので、「本当にＣＤを取り出した」ことをシステム的に把握することが可能となる。
【００２４】
ＣＤ格納・取り出しの際、使用者情報及びＣＤ情報が管理部により管理されるため、誰が何を使用しているのか、何が格納されているのかといった現在の状況や、誰が何をいつ使用したのかといった使用履歴を、人による作業負荷をかけることなく管理することが可能となる。
【００２５】
本願においては、スロットが飛び出す・突出する形式をとる。したがって、メディアをスロット上に載置するだけで、情報読取・格納動作まで連続して行うことが可能である。
【００２６】
また、本発明は、このとき、前記メディアは該メディア単体を被うメディア収納ケースに収納され、前記メディア用ＩＣタグは該メディア収納ケースの所定位置に貼付されるように構成することで、さらに利便性が高まる。また、スロットの規格が統一的であり、メディア収納ケースの所定位置にメディア用ＩＣタグが貼付されるので、該メディア収納ケースをスロットに載置するだけで、ＩＣタグリーダによる読取動作についての位置整合が保たれ、ＩＣタグリーダによる読取性能を向上させる。
【００２７】
さらに、本発明においては、スロットは１動作に１枚のみを対象とし、１枚のメディアを動かしている間はメディア格納ケースの他のメディアは収納（及びロック係止）された状態を保つので、当該他のメディアに係るセキュリティ性は向上する。
【００２８】
また、本発明においては、一つ一つのスロットが独立に形成され、それぞれの単位において管理の対象となるので、出し入れするときには対象は１つに限定され、その他については高いセキュリティ性を維持したまま収容保持される。
【発明を実施するための最良の形態】
【００２９】
以下、図面を参照して本発明の最良の実施形態を説明する。
【００３０】
図１は、本発明の一実施形態に係るＣＤ管理自動化システム全体の構成を示すブロック図である。なお、以下では、本願発明の目的の達成のために説明に必要な範囲を模式的に示し、本願発明の該当部分の説明に必要な範囲を主に説明することとし、説明を省略する箇所に付いては公知技術によるものとする。また、以下ではメディアとしてＣＤを例にとり説明するが、本発明の（管理）対象としてはＣＤに限定されるものではない。
【００３１】
同図に示すように、本発明の一実施形態に係るＣＤ管理自動化システム１００は、ＣＤ用ＩＣタグ１１を貼付したＣＤ６を格納するためのＣＤ格納スロット４１を複数有するＣＤ格納ケース４と、該ＣＤ格納ケース４に具備されたＩＣタグ１１内の情報を読み取るためのＩＣタグリーダ５と、使用者認証のためのＩＣタグ１内の情報を読み取るためのＩＣタグリーダ２と、該使用者認証用ＩＣタグ１による使用者の認証を行うことで動作する、該ＣＤ格納スロット４１を制御する管理部３とを有する。
【００３２】
ＣＤ格納ケース４は、複数のスロット４１を有し、各スロットのロックおよびロック解除の制御を行う、ロック係止／ロック解除部７を有している。また、作動しているスロットを識別するためのインジケータ８も備えられている。
【００３３】
管理部３には、操作入力部９およびモニタ１０が接続されている。そして、管理部３内部には、使用者認証用ＩＣタグ読取リーダ制御部３１、ＣＤ格納スロット制御部３２およびデータベース（ＤＢ）３６が設けられている。ＣＤ格納スロット制御部３２には、さらにＣＤ用タグリーダ制御部３３、ロック係止／ロック解除部制御部３４およびインジケータ制御部３５が備わっている。また、データベース３６には使用者認証ＤＢ３７、ＣＤ情報ＤＢ３８およびＣＤ貸出履歴ＤＢ３９が備わっている。また、使用者認証用ＩＣタグ読取リーダ制御部３１は、ＩＣタグ内の情報とデータベース（ＤＢ）３６内の情報との照合を行う（図示しない）照合部３１１と、必要に応じてユーザに対して所望動作を求める等のためにモニタ１０に情報を表示するための（図示しない）表示部３１２と、格納・取出しに伴うメディアの収容状況の変化に対応してデータベースに書き込みを行う（図示しない）データベース書き込み部３１３と、表示部３１２に表示されたデータからユーザの所望するメディアを指定させ該指定に係る情報を受け取る（図示しない）指定受取部３１４とを少なくとも備えて構成される。
【００３４】
図２は、本システムの一例の概略図である。操作入力部９としてキーボードおよびモニタ１０を備えた管理部３はたとえばパーソナルコンピュータ（ＰＣ）であり、ＣＤ格納ケース４と接続されている。一方、管理部３であるＰＣには、使用者認証用ＩＣタグ読取用リーダ２が連結されている。
【００３５】
図３は、本発明に係るＣＤ格納ケース４の斜視透視図である。図４は本発明に係るＣＤ格納ケース４の正面図であり、図５は側面図である。この実施例では、ＣＤ格納スロット４１は１０段であるが、これより少なくても多くても所望の段数設けることが可能である。図５から理解されるとおり、本実施例では、ＣＤ格納ケース４の最下段の奥行きが閉じた状態のＣＤ格納スロット４１の奥行きよりも大きく、閉じた状態のＣＤ格納スロット４１の奥行きよりも前面にはみ出している最下段の部分に、ＣＤのＩＣタグ読取用リーダ５が設けられている。また、このように構成されるＣＤ格納ケース４は、たとえばその側壁部頂部（図示しない）に係止機構を設けることにより、鉛直方向、及び／または、水平方向に積層／連接できるように構成することもできる。
【００３６】
ＣＤのＩＣタグ読取用リーダ５は、図６に示すとおり、ＣＤ格納ケース４の最下段にあってＣＤ格納スロット４１が開いた状態で、開いたＣＤ格納スロット４１に格納されているＣＤ６に貼付されたＩＣの情報が読み取れるように、ＣＤ格納スロット４１の開閉口前面に位置している。この実施例では、ＣＤ６のＩＣタグ読取用リーダー５は最下段に位置しているが、ＣＤ格納スロット４１が開いた状態で格納されたＣＤ６のＩＣ情報が読み取れる限り、ＣＤ格納ケース４の上部でも、側面でも配置を変更することは可能である。
【００３７】
また、図６の構成の場合には、たとえば、ＩＣタグ１１はメディア６、たとえばＣＤの表面（レーベル面）のたとえば中心の略近傍に貼付し、スロット４１への載置・格納に際しては逆さに載置するようにする。このようにすることで、ＩＣタグ読取用リーダ５（或いはスキャナ）による読取は、ＩＣタグ１１内のＩＣチップの検出エリアの電界強度の高い位置を確保することになり、良好な読取がなされる。さらにこの場合、ＩＣタグ１１をメディア６に直接貼付するのでなく、メディア６を（１枚ごとの）メディア収納ケース（図示しない）にしまい、このメディア収納ケースの所定の位置（たとえば略中心の位置）にＩＣタグ１１を貼付するようにしてもよい。メディア収納ケースとメディア６との取り違い防止には、たとえばメディア収納ケース自体の表示とメディア６のレーベル面の表示との整合を容易に視認できるようにする。このように構成することで、メディア収納ケースをスロット４１に載置するだけでＩＣタグ１１の電界強度面での指向性を高い位置で確保でき、ＩＣタグ情報の良好な読取が実行される。
【００３８】
図７は、本発明に係るＣＤ格納スロット４１の斜視透視図である。操作中であることを示すインジケータ８、スロットの開閉を行うための、ロック／ロック解除部であるロックバー７１、ＣＤ挿入口４２およびＣＤを格納するためのＣＤトレイ４３を有している。図８は、本発明に係るＣＤ格納スロット４１の正面図であり、図９は上面からの平面図である。
【００３９】
ここで、ＩＣタグ１１は応答器とも称され、質問器（Ｒ／Ｗ）と称されるＩＣタグ読取用リーダ５（スキャナ）と対で用いられるものであり、ＩＣタグ１１とＩＣタグ読取用リーダ５（スキャナ）の間で電波による非接触で簡易的な通信を行うものである。通信電波の周波数としては、例えば、１２５ｋＨｚ、１３．５６ＭＨｚ、２．４５ＧＨｚなどが用いられる。ＩＣタグ１１は図１３（ａ）（ｂ）に示すように、基材１１１にＩＣチップ１１２と応答器アンテナ１１３を設けて形成されている。基材１１１は合成樹脂等の短冊状の薄い二枚のフィルム材１１１ａ、１１１ａを貼り合わせて作成されており、この二枚のフィルム材１１１ａ、１１１ａの間にＩＣチップ１１２と応答器アンテナ１１３が挟み込まれている。このＩＣチップ１１２はＩＣタグ１１の略中央部に配置されている。
【００４０】
応答器アンテナ１１３はＩＣチップ１１２に電気的に接続されるものであって、薄い導体の回路パターン１１３ａで形成されている。導体としては銅箔などの金属箔を用いることができる。このように形成される標準的なＩＣタグ１１の応答器アンテナ１１３の長さは、ＩＣタグ読取用リーダ５（スキャナ）からＩＣタグ１１に送信されるメディア６の情報を含む電波、及びＩＣタグ１１からＩＣタグ読取用リーダ５（スキャナ）に送信されるメディア６の情報を含む電波の特定周波数に同調するように設定されている。
【００４１】
またＩＣタグ１１は、メディア６の表面に貼り付けて装着しやすいように基材１１１の外面に粘着層などを設けてシールのように形成するのが好ましい。ＩＣチップ１１２にはメディア６の固有の情報が格納されており、例えば、管理のために各メディア６ごとに付されている番号、及びメディア６の種類や題名などの情報が格納されている。またＩＣタグ１１にはＩＣタグ読取用リーダ５（スキャナ）から送られてくる電源を貯めるためのコンデンサを設けても良い。
【００４２】
ＩＣタグ読取用リーダー５（スキャナ）は合成樹脂等で箱状に形成されるスキャナ本体に、質問器アンテナや送受信に必要な回路を内蔵して形成されるものである。またスキャナ本体の外面の略中央部には略半球凹状の送受信部が凹設されており、この送受信部から電波を送受信することによって、ＩＣタグ１１と通信を行うものである。これらについては公知技術によるものとし、ここでは図示及び説明を省略する。
【００４３】
また、ＩＣタグ１１の応答器アンテナ１１３はＩＣタグ読取用リーダ５（スキャナ）から送信される質問電波をＩＣタグ１１に取り込む機能、及びＩＣタグ１１から応答電波をＩＣタグ読取用リーダ５（スキャナ）に送信する機能を有するものである。さらに（図示しない）変復調器により質問電波から電力、クロック、質問データなどを取り出して制御器やメモリに供給する機能、及び制御器からの応答データに応じて搬送波を振幅変調し、これを応答器アンテナ１１３に供給して反射波としてＩＣタグ読取用リーダ５（スキャナ）に返送する機能を有するものである。制御部３３はＩＣタグ読取用リーダ５（スキャナ）からの質問データに応じてＩＣタグ１１の動作の内部制御を行うものであって、制御の内容はメモリに保持されている識別データの読み出し、メモリへの識別データを書き込み、及びこれらの動作に関連するその他の制御などを行う。これらの詳細についても公知技術によるものとし、ここでは図示及び説明を省略する。
【００４４】
このような構成のもと、応答データの識別データやその他のデータにより、ＩＣタグ１１が装着されたメディア６の種類や題名等の情報が得られ、メディア６を識別することができるのであるが、このメカニズムについては公知技術によるものとし、ここでは図示及び説明を省略する。また、ＩＣタグ１１にメディア６の識別データを書き込むにあたってのメカニズムについても公知技術によるものとし、ここでは図示及び説明を省略する。
【００４５】
このように本発明のメディア管理システムは、ＩＣタグ１１が貼付・装着されたメディア６がＩＣタグ読取用リーダ５（スキャナ）の電界エリアである検知エリア（サービスエリア）内に入ってくると、ＩＣタグ１１とＩＣタグ読取用リーダ５（スキャナ）の間で電波を用いて情報（データ）のやり取りを行い、ＩＣタグ１１に予め書き込まれて保持されているメディア６の固有の情報（識別データ）をＩＣタグ読取用リーダ５（スキャナ）で読み取ることによってメディア６の識別を行うようにするものである。このとき、これに付随して、ＩＣタグ１１が単独あるいはＩＣタグ１１が装着されたメディア６がＩＣタグ読取用リーダ５（スキャナ）の検知エリア内に入ってくると、ＩＣタグ１１にメディア６の識別データを書き込むようにする機能を追加してもよい。いずれにせよ、ＩＣタグ１１が自身を動作させる電源を持たないものであって、ＩＣタグ読取用リーダー５（スキャナ）から送信される質問電波を用いて電力をＩＣタグ１１に伝送し、この電力でＩＣタグ１１を動作させるようにしている。尚、検出エリアは、上述したような本願に特有の位置整合機能により、ＩＣタグ１１から送信される応答データをＩＣタグ読取用リーダ５（スキャナ）で受信して応答データに含まれている識別データを確実に読み取ることができる範囲であり、検出エリア内にＩＣタグ１１を位置させた状態で識別データを読み取るようにするものである。そしてこの検出エリアはＩＣタグ読取用リーダ５（スキャナ）の送受信部（図示しない）の前方に略半球状あるいは略球状に形成されるものである。この点の詳細についても本願の特徴的範囲からそれるため、これらについては公知技術によるものとし、ここでは図示及び説明を省略する。
【００４６】
次に図１０のフローチャートを用いて、本発明に係るシステムの全体的な動作・機能の流れについて説明を行う。
【００４７】
まず管理部３の使用者認証用ＩＣタグ読取リーダ制御部３１と連動し、使用者認証用ＩＣタグ１を使用者認証用ＩＣタグ読取ＩＣタグリーダ２が読み取る（ステップ２０１）。ここで、照合部３１１により、認証を許可するかどうか、読み取ったデータと、管理部３内の使用者認証ＤＢ３７と照合が行われる（ステップ２０２）。認証が許可されれば、表示部３１２により、モニタ１０にＣＤ格納ケース４操作のための表示（図示しない）がなされる（ステップ２０３）。認証に失敗（エラー）すると、ＣＤ格納ケース４操作には進めない（ステップ２０４）。
【００４８】
モニタ１０に表示されるＣＤ格納ケース４操作は、「格納」、「取出」または「操作終了」であり、いずれか所望の操作を選択する（ステップ２０５）。
【００４９】
「格納」を選択した場合、続いてモニタ１０にＣＤ格納のための画面表示（図示しない）がなされる（ステップ２０６）。ＣＤの収容されていない格納可能なＣＤ格納スロット４１の一覧が表示部３１２により表示され、その中から特定のＣＤ格納スロット４１を指定すると、管理部３内のＣＤ格納スロット制御部３２により、選択されたＣＤ格納スロット４１のロックバー７１が解除され、スロット４１が前方に飛び出すように滑動・突出される（ステップ２０７）。オープンになったＣＤ格納スロット４１内にＣＤ６を納めると、再び管理部３内のＣＤ格納スロット制御部３２により、自動的にＣＤ格納ケース４に設けられたＣＤ用ＩＣタグ情報読取ＩＣタグリーダ５がＣＤ６に貼付されたＩＣタグ情報を読取り、照合部３１１により、データベース３６のＣＤ情報ＤＢ３８およびＣＤ貸出履歴ＤＢ３９内の情報と照合する（ステップ２０８）。
【００５０】
もし、格納が許可されれば、続いて、ＣＤ６に貼付されたＩＣタグ情報を元に、データベース書き込み部３１３により必要に応じてＣＤ貸出履歴ＤＢ３９への書込みが行われ、履歴等の情報が反映される（ステップ２０９）。格納が許可されない場合、たとえば未登録のＣＤであったり、管理外のＣＤであったりした場合は、ＣＤ履歴の反映はされず、再びメイン画面表示（ステップ２０５）へ戻る。
【００５１】
格納が許可され、必要な情報が読まれ、データベース３６に書込みが終了すると、ＣＤ格納スロット４１が自動的に閉まり、再びＣＤ格納スロット４１は管理部３のロック制御部３４によりロックされる（ステップ２１０）。
【００５２】
「取出」を選択した場合、ＣＤ格納ケース４内に格納されているＣＤ６の一覧が、表示部３１２により、ＣＤの特定情報と共に表示される（ステップ２１１）。その中から取出しを希望する特定のＣＤ６を指定すると、この指定された「ＣＤ６」の情報が指定受取部３１４によりうけとられ管理部３内のＣＤ格納スロット制御部３２に伝えられ、管理部３内のＣＤ格納スロット制御部３２により、選択されたＣＤ６を格納しているＣＤ格納スロット４１のロックバー７１が解除される（ステップ２１２）。ＣＤ格納スロット４１がオープンになると、再び管理部３内のＣＤ格納スロット制御部３２により、自動的にＣＤ用ＩＣタグ情報読取ＩＣタグリーダ５がＣＤ６に貼付されたＩＣタグ情報を読取り、照合部３１１／データベース書き込み部３１３により、データベース３６のＣＤ情報ＤＢ３８およびＣＤ貸出履歴ＤＢ３９内の情報と照合／書込みを行う（ステップ２１３）。ＣＤ６をＣＤ格納スロット４１から取り出すと、ＣＤ格納スロット４１が自動的に閉まり、再びＣＤ格納スロット４１は管理部３のロック制御部３４によりロックされる（ステップ２１４）。
【００５３】
一連の「格納」または「取出し」の操作が終了すると、再び表示部３１２がメイン画面表示（図示しない）を行う（ステップ２０３）。続いて操作する場合は、ステップ２０６またはステップ２１１を繰り返せばよい。「終了」する場合は、「終了」を選択する（ステップ２１５）。
【００５４】
図１１に示すように、モニタ１０にて「格納」を選択すると、ＣＤ格納スロット４１においてロックバー７１が解除され、インジケータ８は赤点滅になる。ＣＤ６が格納されると、ロックバー７１は再びロックされ、インジケータ８は赤点滅から赤点灯にかわり、一定の時間が経過すると点灯しなくなる。
【００５５】
一方、モニタ１０にて「取出し」を選択すると、図１２に示すように、ＣＤ格納スロット４１においてロックバー７１が解除され、インジケータ８は緑点滅になる。ＣＤ６が取り出されると、ロックバー７１は再びロックされ、インジケータ８は緑点滅から緑点灯にかわり、一定の時間が経過すると点灯しなくなる。このようにすることで、本システムに係る動作をユーザに適格に伝達することができ、利便性の向上、誤動作・誤操作の防止等を可能とする。
【００５６】
以上詳細に説明したように、本願に係る発明によれば、ＣＤ格納の際、ＣＤに貼付されたＣＤ用ＩＣタグをＣＤ用ＩＣタグリーダによって自動的に読み取るので、ＩＣタグリーダにより読み取ることができない場合、ＣＤはＣＤ格納スロットへ格納できないようにすることで、登録された適正なＣＤのみを格納する機能が担保される。
【００５７】
また、ＣＤ格納スロットからのＣＤ取り出しの際には、画面上で取り出すＣＤを指定することにより、ＣＤ格納スロットからの所望のＣＤ取り出しが可能になり、さらに、取り出すＣＤのＩＣタグが自動的にＣＤ用ＩＣタグリーダによって読み取られるので、「本当にＣＤを取り出した」ことをシステム的に把握することが可能となる。
【００５８】
さらに、ＣＤ格納・取り出しの際、使用者情報及びＣＤ情報が管理部により管理されるため、誰が何を使用しているのか、何が格納されているのかといった現在の状況や、誰が何をいつ使用したのかといった使用履歴を、人による作業負荷をかけることなく管理することが可能となる。
【００５９】
また、本願においては、スロットが飛び出す・突出する形式をとるので、メディアをスロット上に載置するだけで、情報読取・格納動作まで連続して行うことが可能である。
【００６０】
さらに、スロットの規格が統一的であり、メディア収納ケースの所定位置にメディア用ＩＣタグが貼付されるので、該メディア収納ケースをスロットに載置するだけで、ＩＣタグリーダによる読取動作についての位置整合が保たれ、ＩＣタグリーダによる読取性能を向上させる。
【００６１】
また、スロットは１動作に１枚のみを対象とし、１枚のメディアを動かしている間はメディア格納ケースの他のメディアは収納（及びロック係止）された状態を保つので、当該他のメディアに係るセキュリティ性は向上する。この点で、たとえば、たとえば特許文献１等の従来技術では管理性能のみが向上されセキュリティ性の向上がなされていないのとは対照的である。また本願では、一つ一つのスロットが独立に形成され、それぞれの単位において管理の対象となるので、出し入れするときには対象は１つに限定され、その他については高いセキュリティ性を維持したまま収容保持される。この点で、たとえば特許文献１等の従来技術では物理的に複数のディスクの持ち出しが可能であるのとは対照的である。
【００６２】
さらに本願発明は、その技術思想の同一及び等価に及ぶ範囲において様々な変形、追加、置換、拡大、縮小等を許容するものである。また、本願発明を用いて生産される装置、方法、ソフトウェア、システムが、その２次的生産品に登載されて商品化された場合であっても、本願発明の価値は何ら減ずるものではない。
【００６３】
たとえば上記の説明では、メディアとして主にＣＤ（コンパクトディスク）を例にとって説明したが、本願の射程範囲としてはこれに限られることなく、たとえば、メディアとして、ＤＶＤ、ＭＤ、ＦＤ、ＭＯ、ＬＤ、コンパクトフラッシュ（商標）、マイクロドライブ、スマートメディア、ＳＤメモリーカード、メモリースティック、ｘＤ−ピクチャーカード（xD-Picture Card）等の、（光ディスク、磁気記憶媒体を含む）記録媒体のいずれであってもよい。
【産業上の利用可能性】
【００６４】
本発明によれば、使用者認証用タグによる認証がなければ、ＣＤ格納スロットを制御する管理部が動作しないので、不正な使用者によるＣＤの持ち出しやすり替えを防止することができ、この機能は、銀行・証券等の顧客情報管理システムを初めとする各産業・各企業内の情報管理、物流倉庫等における物品管理、レンタル産業におけるレンタル品管理、宝飾品等の極小貴重物の盗難防止管理、図書館・博物館等における貸出し及び盗難防止管理等、あらゆる産業・分野に幅広く適用することができる。
【００６５】
また、本発明によれば、ＣＤ格納の際、ＣＤに貼付されたＣＤ用ＩＣタグをＣＤ用ＩＣタグリーダによって自動的に読み取るので、ＩＣタグリーダにより読み取ることができない場合、ＣＤはＣＤ格納スロットへ格納できない。すなわち、登録された適正なＣＤのみを格納する機能を提供できる。この機能は、銀行・証券等の顧客情報管理システムを初めとする各産業・各企業内の情報管理、物流倉庫等における物品管理、レンタル産業におけるレンタル品管理、宝飾品等の極小貴重物の盗難防止管理、図書館・博物館等における貸出し及び盗難防止管理等、あらゆる産業・分野に幅広く適用することができる。
【００６６】
ＣＤ用ＩＣタグリーダにより読み取られた情報は、管理部により、たとえば画面上に反映される。
【００６７】
ＣＤ格納スロットからのＣＤ取り出しの際には、画面上で取り出すＣＤを指定することにより、ＣＤ格納スロットからの所望のＣＤ取り出しが可能になり、さらに、取り出すＣＤのＩＣタグが自動的にＣＤ用ＩＣタグリーダによって読み取られるので、「本当にＣＤを取り出した」ことをシステム的に把握することが可能となる。この有用性は、銀行・証券等の顧客情報管理システムを初めとする各産業・各企業内の情報管理、物流倉庫等における物品管理、レンタル産業におけるレンタル品管理、宝飾品等の極小貴重物の盗難防止管理、図書館・博物館等における貸出し及び盗難防止管理等、あらゆる産業・分野に幅広く適用することができる。
【００６８】
ＣＤ格納・取り出しの際、使用者情報及びＣＤ情報が管理部により管理されるため、誰が何を使用しているのか、何が格納されているのかといった現在の状況や、誰が何をいつ使用したのかといった使用履歴を、人による作業負荷をかけることなく管理することが可能となる。この有用性もまた、銀行・証券等の顧客情報管理システムを初めとする各産業・各企業内の情報管理、物流倉庫等における物品管理、レンタル産業におけるレンタル品管理、宝飾品等の極小貴重物の盗難防止管理、図書館・博物館等における貸出し及び盗難防止管理等、あらゆる産業・分野に幅広く適用することができる。
【図面の簡単な説明】
【００６９】
【図１】本発明の一実施形態に係るＣＤ管理自動化システム全体の構成を示すブロック図である。
【図２】本発明の一実施形態に係るＣＤ管理自動化システムの概略図である。
【図３】本発明に係るＣＤ格納ケース４の斜視透視図である。
【図４】本発明に係るＣＤ格納ケース４の正面図である。
【図５】本発明に係るＣＤ格納ケース４の側面図である。
【図６】本発明に係るＣＤのＩＣタグ読取用リーダの位置を示す模式図である。
【図７】本発明に係るＣＤ格納スロット４１の斜視透視図である。
【図８】本発明に係るＣＤ格納スロット４１の正面図である。
【図９】本発明に係るＣＤ格納スロット４１の上面からの平面図である。
【図１０】本発明に係るＣＤ管理自動化システムの全体的な動作・機能の流れを示すフローチャートである。
【図１１】本発明に係るＣＤ格納スロット４１の「格納」操作の際の動作を示す模式図である。
【図１２】本発明に係るＣＤ格納スロット４１の「取出し」操作の際の動作を示す模式図である。
【図１３】本発明に係るＩＣタグ１１を示す平面及び断面図である。
【符号の説明】
【００７０】
１  使用者認証用ＩＣタグ
２  使用者認証用ＩＣタグ読取ＩＣタグリーダ
３  管理部
４  ＣＤ格納ケース
５  ＣＤ用ＩＣタグ読取ＩＣタグリーダ
６  ＣＤ用ＩＣタグ付ＣＤ
７  スロット  ロック係止／ロック解除部
８  インジケータ
９  操作入力部
１０  モニタ
１１  ＩＣタグ
３１  使用者認証用ＩＣタグ読取タグリーダ制御部
３２  ＣＤ格納スロット制御部
３３  ＣＤ用タグリーダ制御部
３４  ロック係止／ロック解除部制御部
３５  インジケータ制御部
３６  データベース
３７  使用者認証ＤＢ
３８  ＣＤ情報ＤＢ
３９  ＣＤ貸出履歴ＤＢ
４１  ＣＤ格納スロット
４２  ＣＤ挿入口
４３  ＣＤトレイ
７１  ロックバー
１００  ＣＤ管理自動化システム
３１１  照合部
３１２  表示部
３１３  データベース書き込み部
３１４  指定受取部
【図１】
2006209893.tif 000003
【図２】
2006209893.tif 000004
【図３】
2006209893.tif 000005
【図４】
2006209893.tif 000006
【図５】
2006209893.tif 000007
【図６】
2006209893.tif 000008
【図７】
2006209893.tif 000009
【図８】
2006209893.tif 000010
【図９】
2006209893.tif 000011
【図１０】
2006209893.tif 000012
【図１１】
2006209893.tif 000013
【図１２】
2006209893.tif 000014
【図１３】
2006209893.tif 000015